(57)【要約】【課題】薬剤などの身体塗布剤自体がもつ効果・効能を、より効果的に与えることのできる塗布用具を提供すること。【解決手段】身体塗布剤を内部に収容する容器本体と、単繊維繊度０．００１〜１．１デシテックスの極細繊維を少なくとも表面に有する繊維布からなりかつ該容器本体中に収容されている身体塗布剤を身体に接触して塗布するための極細繊維塗布面を少なくとも有してなることを特徴とする身体への塗布剤の塗布用具。【選択図】図１
2005270259.tif 000002
【特許請求の範囲】
【請求項１】
身体塗布剤を内部に収容する容器本体と、単繊維繊度０．００１〜１．１デシテックスの極細繊維を少なくとも表面に有する繊維布からなりかつ該容器本体中に収容されている身体塗布剤を身体に接触して塗布するための極細繊維塗布面を少なくとも有してなることを特徴とする身体への塗布剤の塗布用具。
【請求項２】
身体塗布剤が、液体状またはジェル状のスキンケア機能を有する薬剤であることを特徴とする請求項１記載の身体への塗布剤の塗布用具。
【請求項３】
極細繊維塗布面と容器本体の間に、弾性体部材が介在せしめられて構成されていることを特徴とする請求項１または２記載の身体への塗布剤の塗布用具。
【請求項４】
極細繊維塗布面と容器本体の間に、繊維生地が積層された状態で介在せしめられて構成されてなることを特徴とする請求項１、２または３記載の身体への塗布剤の塗布用具。
【請求項５】
極細繊維塗布面をなす繊維布が、極細繊維からなる糸を製織した織物であることを特徴とする請求項１、２、３または４記載の身体への塗布剤の塗布用具。
【請求項６】
極細繊維塗布面をなす繊維布に、身体塗布剤が滲出ししやすいように単一もしくは複数の孔が穿孔されていることを特徴とする請求項１、２、３、４または５記載の身体への塗布剤の塗布用具。
【請求項７】
極細繊維塗布面をなす繊維布が、均一な布地表面形態を有するものであることを特徴とする請求項１、２、３、４または５記載の身体への塗布剤の塗布用具。
【請求項８】
単繊維繊度０．００１〜１．１デシテックスの極細繊維が円形断面繊維であることを特徴とする請求項１、２、３、４、５、６または７記載の身体への塗布剤の塗布用具。
【請求項９】
単繊維繊度０．００１〜１．１デシテックスの極細繊維が非円形断面繊維であることを特徴とする請求項１、２、３、４、５、６または７記載の身体への塗布剤の塗布用具。
【発明の詳細な説明】
【技術分野】
【０００１】
本発明は、身体への塗布剤の塗布用具に関する。
【０００２】
本発明において、身体への塗布剤とは、例えば、女性がスキンケアのために肌に塗布をする液体状またはジェル状などのスキンケア薬剤や、乳液、化粧水などの美容用の液剤・薬剤などや、消毒や外傷手当の薬剤などの、化粧品類、医薬品類、医薬部外品類などに分類される液体状またはジェル状などのものを広く含む概念であり、本発明は、そのような塗布剤をより高い塗布効果が得られるようになすべく塗布用具の構造自体に着目をしてなる、身体への塗布剤の塗布用具に関するものである。
【背景技術】
【０００３】
従来、上記したような、女性がスキンケアのために肌に塗布をする液体状またはジェル状などのスキンケア薬剤、乳液、化粧水などの美容用の液体・薬剤などや、消毒や外傷手当の薬剤などの、化粧品類、医薬品類、医薬部外品類などに分類される液体状またはジェル状などの薬液類は、容器内から手のひらに少量を出して、手指で伸ばして塗布するなどのことが行われていた。
【０００４】
しかし、そのように容器内から手のひらに少量を出して、手指で伸ばして塗布する等のことは、単に、塗布剤を塗りのばすだけであり、高い塗布効果・効能を得るという点で今ひとつ十分ではないものであった。
【０００５】
また、薬剤などを塗布するのに好適なスポンジを先端部に用いた簡易塗布具についての発明が提案されており、具体的には、筒状容器内に、ガラスアンプルに充填しまたは隔壁を設けて直接薬液を充填し、容器口部には膨潤性スポンジ体をキャップ部内に付設固定し、使用時にガラスアンプルまたは隔壁を圧壊して薬液をスポンジに含浸させ、スポンジ体の膨張隆起部を塗布具面とし、スポンジ固着部材を把手部としてなる薬剤等の簡易塗布具についての発明が提案されている（特許文献１）。
【０００６】
しかし、該特許文献１にかかる発明になるものは、スポンジ部が皮膚に接して塗布するものであるが、やはり塗布剤を単に塗りのばすだけであり、薬液・薬剤の皮膚面への塗布効果・浸透効果・効能が必ずしも良好であると言えないものであった。
【０００７】
その他にも、液体状の薬剤などを塗布する容器として、本体内に該薬剤を収容し、口部にはスポンジ部分を設けて、該スポンジ部分を介して皮膚に接触させて薬剤を塗布するという塗布容器が提案されている（特許文献２〜４）。
【０００８】
しかし、これらもいずれも、同様の理由で、薬液・薬剤の皮膚面への塗布効果・効能、浸透効果が必ずしも良好であると言えないものであった。
【特許文献１】実開平６−３１７５１号公報
【特許文献２】実用新案登録第３０２９０１０号公報
【特許文献３】実用新案登録第３０３０３１２号公報
【特許文献４】実用新案登録第３０５５６１９号公報
【発明の開示】
【発明が解決しようとする課題】
【０００９】
上述した従来技術のものは、いずれも、単にスポンジ部分に薬剤を含ませそれを滲み出させて皮膚に塗るというものであり、それ以外の作用効果をねらいとするものではなかったものと解される。
【００１０】
本発明の目的は、上述したような点に鑑み、薬剤などの身体塗布剤自体がもつ効果・効能を、より効果的に与えることのできる塗布用具を提供することにある。
【課題を解決するための手段】
【００１１】
上述した目的を達成する本発明の身体への塗布剤の塗布用具は、以下の(1) の構成からなるものである。
（１）身体塗布剤を内部に収容する容器本体と、単繊維繊度０．００１〜１．１デシテックスの極細繊維を少なくとも表面に有する繊維布からなりかつ該容器本体中に収容されている身体塗布剤を身体に接触して塗布するための極細繊維塗布面を少なくとも有してなることを特徴とする身体への塗布剤の塗布用具。
【００１２】
また、かかる本発明の身体への塗布剤の塗布用具は、その好ましい具体的態様として、以下の(2) 〜(9) に記載の具体的構成を有するものである。
（２）身体塗布剤が、液体状またはジェル状のスキンケア機能を有する薬剤であることを特徴とする上記(1) 記載の身体への塗布剤の塗布用具。
（３）極細繊維塗布面と容器本体の間に、弾性体部材が介在せしめられて構成されていることを特徴とする上記(1) または(2) 記載の身体への塗布剤の塗布用具。
（４）極細繊維塗布面と容器本体の間に、繊維生地が積層された状態で介在せしめられて構成されてなることを特徴とする上記(1) 、(2) または(3) 記載の身体への塗布剤の塗布用具。
（５）極細繊維塗布面をなす繊維布が、極細繊維からなる糸を製織した織物であることを特徴とする上記(1) 、(2) 、(3) または(4) 記載の身体への塗布剤の塗布用具。
（６）極細繊維塗布面をなす繊維布に、身体塗布剤が滲出ししやすいように単一もしくは複数の孔が穿孔されていることを特徴とする上記(1) 、(2) 、(3) 、(4) または(5) 記載記載の身体への塗布剤の塗布用具。
（７）極細繊維塗布面をなす繊維布が、均一な布地表面形態を有するものであることを特徴とする上記(1) 、(2) 、(3) 、(4) または(5) 記載記載の身体への塗布剤の塗布用具。
（８）単繊維繊度０．００１〜１．１デシテックスの極細繊維が円形断面繊維であることを特徴とする上記(1) 、(2) 、(3) 、(4)、(5)、(6) または(7) 記載の身体への塗布剤の塗布用具。
（９）単繊維繊度０．００１〜１．１デシテックスの極細繊維が非円形断面繊維であることを特徴とする上記(1) 、(2) 、(3) 、(4)、(5)、(6) または(7) 記載の身体への塗布剤の塗布用具。
【発明の効果】
【００１３】
請求項１にかかる本発明の身体への塗布剤の塗布用具によれば、皮膚に接触する塗布面が、単繊維繊度０．００１〜１．１デシテックスの極細繊維を少なくとも表面に有する繊維布からなっていることから、塗布剤を塗布するに際して、該塗布面を皮膚に接触させてなでることとなり、該極細繊維が皮膚表面に存在する角質や汚れ等を効果的に除去することができ、その結果、塗布剤の効果をより高く発揮することができるようになる。
【発明を実施するための最良の形態】
【００１４】
以下、更に詳しく本発明について、説明する。
【００１５】
図１は、本発明にかかる身体への塗布剤の塗布用具の１実施態様例を示したモデル図であり、（ａ）図は概略モデル正面図、（ｂ）図は概略モデル平面図である。
【００１６】
本発明にかかる身体への塗布剤の塗布用具１は、身体塗布剤３を用具内部に収容する容器本体２と、単繊維繊度０．００１〜１．１デシテックスの極細繊維を少なくとも表面に有する繊維布からなりかつ該容器本体中に収容されている身体塗布剤３を身体に接触して塗布するための極細繊維塗布面４を少なくとも有してなるものである。
【００１７】
このように構成することにより、身体への塗布剤を塗布するに際して、該極細繊維塗布面を皮膚に接触させてなでることとなり、皮膚表面上に存在する角質や汚れ等を、該極細繊維がそぎ取るように効果的に除去することができ、その結果、塗布剤の塗布効果・効能をより高いものとして皮膚表面に塗布することができるようになるのである。すなわち、極細繊維は、通常、その繊維本数の多さから、繊維間に形成される細かくかつ多数の繊維間空隙に、角質や汚れを取り込みやすく、極細繊維が有するシャープなそぎ取り効果と相俟って、角質・汚れ除去効果が大きいのである。
【００１８】
本発明において、塗布剤とは、前述の如く、例えば、女性がスキンケアのために肌に塗布をする液体状またはジェル状などのスキンケア薬剤や、乳液、化粧水などの美容用のケア液剤・薬剤などや、消毒や外傷手当の薬剤などのものを広くいい、商品分類上は、化粧品類、医薬品、あるいは医薬部外品などに分類される液体状またはジェル状などのものを広く含む概念である。
【００１９】
本発明では、特に、シャバシャバな低粘度の液体状の塗布剤よりも、少し粘度が高めのジェル状の塗布剤の方が、一般に、角質や汚れなどを除去した際の効果がより効果的なものとなって得られると考えられ、そのようなジェル状のものがより効果的である。
【００２０】
極細繊維塗布面４は、単繊維繊度０．００１〜１．１デシテックスの極細繊維を少なくとも表面に有する繊維布を用いて構成すれば良いが、内部の塗布剤３の滲み出しがなされにくい場合には、図１にモデル図を示したように、単数または複数の孔６を該塗布面に開孔させてもよい。また、滲み出しを促進させるため、あるいは皮膚への接触をソフトなものにするために、本体２と極細繊維塗布面４との間に、図１にモデル図を示したように、弾性体部材または繊維積層体５の層を介在させても良い。この図１においては、極細繊維布の中央部に直径数ｍｍの孔が１個開けられていて、その内層部の弾性体部材または繊維積層体５が一部露出されている構造となっている例を示している。該弾性体部材と繊維積層体は両方ともに用いてもよい。
【００２１】
弾性部材とは、代表的には、いわゆるスポンジや、発泡ポリウレタンや発泡スチレンなどの発泡樹脂などである。また、繊維積層体としては、例えば、フェルト布を用いてそれを単数〜複数枚を積載させたもの、あるいは塗布面を形成する極細繊維布と同様の極細繊維布を何枚か積層したものなどが好ましく使用することができる。このような層を介在させることにより、適度なクッション性を与えることと、塗布剤の滲み出し量を適度なものにすることができるようになる。例えば、押し付ける力を大きくすれば、滲み出し量を多くすることができる。
【００２２】
塗布面を形成する極細繊維布と同様の繊維布を複数枚積層したものを用いるときは、最外層の極細繊維布を使用開始後、適宜の時点で剥ぎ取り、その内層にある極細繊維布を最外層になるようにして使用することができるようにすれば、長期間にわたり本発明の塗布用具の効果を享受して使用することができるものとなる。
【００２３】
また、極細繊維塗布面４には、特別な孔を開けるなどのことをしなくても、極細繊維布としての均一な布地表面形態をそのまま呈せしめて使用することもできる。この場合、塗布剤の使用量（滲み出し量）を抑制しつつ使用することが望ましい塗布剤に効果的である。
【００２４】
繊維布において、単繊維繊度０．００１〜１．１デシテックスの極細繊維を表面層に位置させるには、通常は、該極細繊維１００％使いで該繊維布を構成することや、あるいは緯糸あるいは経糸のいずれかの織糸や編糸が表面に表れる織編物組織として、該表面に表れる織糸や編糸に極細繊維糸を用いる等の手段で実現することができる。また、単繊維繊度０．００１〜１．１デシテックスの極細繊維を用いて不織布を構成することによっても達成できる。
【００２５】
単繊維繊度０．００１〜１．１デシテックスの極細繊維は、特に限定されないが、ポリエステル系繊維やポリアミド系繊維など、また、円形断面のものや異形断面（非円形断面）のものなどを適宜に使用することができる。
【００２６】
それらの極細繊維は、ポリエステル系繊維あるいはポリアミド系繊維などのうちの単独の使用であってもよく、あるいは、ポリエステル系繊維とポリアミド系繊維などの混用使用であってもよい。このような異種繊維を混合使用する場合、繊維間の間隙を形成しやすいことによって、より高い角質や汚れの除去効果を得ることができる。
【００２７】
本発明において、繊維布とは、織物や編物、あるいは不織布のいずれかを含む概念であり、これら単独でも使用でき、さらにはこれらが組合わされた複合繊維布としても使用できる。
【００２８】
また、繊維布は、立毛パイルを持つ立毛布やタオル地などでもよく、その場合は、立毛パイルを構成する繊維が、単繊維繊度０．００１〜１．１ｄｔｅｘの極細繊維からなるものとするのがよい。ビロード織物やタオル編地のような立毛パイル布帛も、単位面積当たりの極細繊維量が多くできることから、高い角質・汚れ除去効果を得ることが可能になるからである。特に、織物の場合には、布構造としてしっかりとしたものにできるので好ましい。また、編物の場合には、布自体に膨らみ感や肉厚感を出すことが比較的簡単であり好ましい。不織布は、耐久性やコストの点で有利であり、使い捨てに近い感覚で使用するようなものに適している。
【００２９】
特に、円形断面の極細繊維を使用する場合には、角質や汚れをソフトタッチで除去するのに最適であり、一方、角質や汚れを除去するのに、強めのそぎ取り作用で除去したいという場合には、非円形断面（三角形状、くさび形状など）の極細繊維を使用するようにしてもよい。
【００３０】
容器本体２に対して、極細繊維塗布面４は、ねじ回し止めなどにより脱着が自在なキャップ状の構造としてもよく、その場合、極細繊維塗布面を、繊維種類、繊維断面形状、繊維の太さ・細さなどの組み合わせで、何種類かセットで準備し、適宜に塗布剤の性状などに対応させて使い分けするようにしてもよい。
【００３１】
このような単繊維繊度０．００１〜１．１デシテックスの極細繊維を少なくとも表面に有する繊維布を製造する方法は、特に限定されないが、例えば、複数の成分から構成される複合繊維を用いて、該複合成分のうち、一成分を溶出除去する、あるいは各成分ごとに分割する等の、後の極細化加工により極細化が可能にされてなる複合繊維を原料繊維に用いて製布すること等により製造できる。
【００３２】
このような極細繊維を有する繊維布の製造は、近年、合成繊維関係業界では広く行われてきているものであり、極細化加工は、繊維の段階や、その集合体たる糸の段階、あるいは繊維布に形成された後などの段階で行うことができる。極細繊維としての太さは、製造のしやすさ、コストの点、角質・汚れ除去性能、効果などから、単繊維繊度０．００１〜１．１デシテックスの範囲内であることが有効であり、中でも、単繊維繊度０．０１〜０．６デシテックスの範囲内が最も実用的かつ効果的である。
【００３３】
該繊維布の製造に際しては、例えば、上記の複合繊維が集合した糸の段階で、仮撚り加工などの捲縮嵩高加工を施してもよいし、あるいは、織物や編物、不織布などに形成した後、ウォーターパンチング加工等を施すことなどにより、極細繊維に、いわゆるバラけ効果とも言うべき開繊効果（極細繊維の１本１本が、集束した束状から多少バラけて、互いに広がってスポンジのような３次元立体構造の状態を示す効果）を与えることなどもできる。
【００３４】
このような開繊効果は、上記の捲縮嵩高加工によっても付与することができ、また、ポリエステル系繊維とポリアミド系繊維などの混用使用の場合には、それらの異種繊維が持つ収縮差などによっても付与することができる。
【００３５】
このような開繊効果により、極細繊維の１本１本が、集束した束状から多少バラけて、互いに広がって微細なスポンジのような立体構造がうまく形成されているものは、上述したように、細径の繊維が、角質や汚れや脂分などを効果的にそぎ取り、かつ細径の繊維間に形成される繊維間間隙に該角質・汚れや脂分などをより効果的に取り込むことができるので、より高くかつ持続する角質・汚れ除去効果を得ることができるので好ましいものである。
【図面の簡単な説明】
【００３６】
【図１】図１は、本発明にかかる身体への塗布剤の塗布用具の１実施態様例を示したものであり、（ａ）図は概略正面モデル図、（ｂ）図は概略平面モデル図である。
【符号の説明】
【００３７】
１：本発明にかかる身体への塗布剤の塗布用具
２：本発明にかかる身体への塗布剤の塗布用具の本体
３：身体塗布剤
４：極細繊維塗布面
５：弾性体部材または繊維積層体
６：孔
【図１】
2005270259.tif 000003